【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）第１の端部及び前記第１の端部とは反対側の第２の端部を有し且つ開放された内部空間を取り囲むように配置された延設媒体を備え、
（i）前記延設媒体はカートリッジの中心軸を規定し、
（ii）前記延設媒体は第１の端部材と第２の端部材との間に延設され、
（ｂ）前記第１の端部材は、前記媒体の前記第１の端部にあり且つ半径方向内側に向いた半径方向ハウジングシールを規定する開放端部材であり、
（i）前記第１の端部材は受入溝を含み、前記受入溝の最も深い部分は、前記媒体の前記第１の端部における前記媒体の外周から前記第１の端部材を横切るように前記中心軸までの距離の２０％以下の距離に相当する距離だけ、前記媒体の前記第１の端部における前記媒体の外周から半径方向に離間した位置に配置され、
（ｃ）前記第２の端部材は外面及び内面を有し、
（i）前記外面は受入溝を有し、
（ii）前記内面は、前記第１の端部材から離れるように突出する中央受入部分を有することを特徴とするエアフィルタカートリッジ。
【請求項２】
（ａ）前記第１の端部材の前記受入溝の前記最も深い部分は、前記媒体の前記第１の端部における前記媒体の外周から前記第１の端部材を横切るように前記中心軸までの距離の１０％以下の距離に相当する距離だけ、前記媒体の前記第１の端部における前記媒体の外周から半径方向に離間した位置に配置されることを特徴とする請求項１記載のエアフィルタカートリッジ。
【請求項３】
（ａ）前記第１の端部材の前記受入溝の前記最も深い部分は、前記媒体の前記第１の端部における外周から前記中心軸までの距離の１％以上９％以下の範囲内の距離に相当する距離だけ、前記媒体の前記第１の端部における前記媒体の外周から離間した位置に配置されることを特徴とする請求項１又は２に記載のエアフィルタカートリッジ。
【請求項４】
（ａ）前記第１の端部材の前記受入溝の前記最も深い部分は、前記第１の端部における前記媒体の外周から前記第１の端部材を横切るように半径方向に７ｍｍ以下の位置に配置されることを特徴とする請求項１から３のいずれか１項に記載のエアフィルタカートリッジ。
【請求項５】
エアフィルタカートリッジであって、
（ａ）第１の端部及び前記第１の端部とは反対側の第２の端部を有し且つ開放された内部空間を取り囲むように配置された延設媒体を備え、
（ｂ）前記第１の端部材は、前記媒体の前記第１の端部にあり且つ半径方向に向いた半径方向ハウジングシールを規定する開放端部材であり、
（i）前記第１の端部材は受入溝を含み、前記受入溝の最も深い部分は、前記第１の端部における前記媒体の外周から半径方向に７ｍｍ以下の距離だけ離間した位置に配置され、
（ｃ）前記第２の端部材は外面及び内面を有し、
（i）前記外面は受入溝を有し、
（ii）前記内面は、前記第１の端部材から離れるように突出する中央受入部分を有することを特徴とするエアフィルタカートリッジ。
【請求項６】
（ａ）前記開放端部材は半径方向内側に向いた半径方向ハウジングシールを規定することを特徴とする請求項５記載のエアフィルタカートリッジ。
【請求項７】
（ａ）前記第１の端部材の前記受入溝の最も深い部分は、前記第１の端部の前記媒体の外周から半径方向に５ｍｍ以下の距離だけ離間して配置されることを特徴とする請求項１から６のいずれか１項に記載のエアフィルタカートリッジ。
【請求項８】
（ａ）前記第１の端部材の前記受入溝の前記最も深い部分は、前記媒体と軸方向に重なり合うように配置されることを特徴とする請求項１から７のいずれか１項に記載のエアフィルタカートリッジ。
【請求項９】
（ａ）前記第２の端部材の前記外面の前記受入溝は内壁及び外壁を有し、前記外壁は、前記媒体から半径方向内側に少なくとも２０ｍｍ離間して配置されることを特徴とする請求項１から８のいずれか１項に記載のエアフィルタカートリッジ。
【請求項１０】
（ａ）前記媒体は、前記第１の端部材から前記第２の端部材に向かって外周の寸法が減少した円錐形であることを特徴とする請求項１から９のいずれか１項に記載のエアフィルタカートリッジ。
【請求項１１】
（ａ）前記第１の端部材の前記受入溝は、前記第１の端部キャップの、最も近接する軸方向外面から少なくとも１．５ｍｍの深さであることを特徴とする請求項１から１０のいずれか１項に記載のエアフィルタカートリッジ。
【請求項１２】
（ａ）前記カートリッジは、端部分を有するプレフォームを含み、
（i）前記プレフォームの前記端部分は、閉鎖された中央部分と、前記媒体の一端部を横切るように延在する支持構造と、を含むことを特徴とする請求項１から１１のいずれか１項に記載のエアフィルタカートリッジ。
【請求項１３】
（ａ）前記プレフォームの前記端部分にある前記支持構造は、前記媒体の一端部の全体を横切るように延在することを特徴とする請求項１２記載のエアフィルタカートリッジ。
【請求項１４】
（ａ）前記媒体の一端部を横切るように延在する前記支持構造は多孔質であることを特徴とする請求項１２及び１３のいずれか１項に記載のエアフィルタカートリッジ。
【請求項１５】
（ａ）前記プレフォームの前記閉鎖された中央部分は、外側凹部と、前記閉鎖された中央部分の前記外側凹部とは反対側にある内側突起と、を規定し、
（i）前記外側凹部は、前記媒体の一端部を横切るように延在する前記支持構造から、内側へ少なくとも１０ｍｍの深さで突出していることを特徴とする請求項１２から１４のいずれか１項に記載のエアフィルタカートリッジ。
【請求項１６】
（ａ）前記第１の端部材は、前記第２の端部材の最大横断面寸法の０．９２倍以上１．０８倍以下の範囲内の最大横断面寸法を有することを特徴とする請求項１から１５のいずれか１項に記載のエアフィルタカートリッジ。
【請求項１７】
（ａ）前記端部材は、前記第２の端部材の最大横断面寸法と同一である最大横断面寸法を有することを特徴とする請求項１から１６のいずれか１項に記載のエアフィルタカートリッジ。
【請求項１８】
エアクリーナアセンブリであって、
（ａ）空気流入口、空気流出口及び排出出口を含むハウジングを備え、
（i）前記ハウジングは取り外し可能なアクセスカバーを含み、
（ｂ）前記ハウジングの中に使用可能且つ取り外し可能に配置された主エアフィルタカートリッジを備え、
前記主エアフィルタカートリッジは、
（i）第１の端部及び前記第１の端部とは反対側の第２の端部を有し且つ第１の端部材と第２の端部材との間に延設された延設媒体を備え、
（Ａ）前記媒体は、開放された内部空間を取り囲み、
（ii）前記第１の端部材は、前記媒体の前記第１の端部にあり且つ半径方向内側に向いた半径方向ハウジングシールを規定する開放端部材を有し、
（Ａ）前記第１の端部材は受入溝を含み、
（iii）前記第２の端部材は外面及び内面を有し、
（Ａ）前記外面は凹部を有し、
（Ｂ）前記内面は、前記第１の端部材から離れるように突出する中央受入部分を有し、
（ｃ）前記アクセスカバーは、前記第２の端部材の前記外面にある前記凹部の中へ突出する突起を有することを特徴とするエアクリーナアセンブリ。
【請求項１９】
（ａ）前記ハウジングは、前記第１の端部材の前記受入溝の中へ突出する突起を含むことを特徴とする請求項１８記載のエアクリーナアセンブリ。
【請求項２０】
（ａ）前記ハウジングの前記アクセスカバーとは反対側の端部から前記アクセスカバーに向かって突出するタワーを含み、
（i）前記タワーは、前記アクセスカバー側に向いた端部を有し、前記端部は、前記主エアフィルタカートリッジの前記第２の端部材の前記内面にある前記中央受入部分の中へ突出する中央突起を有することを特徴とする請求項１８から１９のいずれか１項に記載のエアクリーナアセンブリ。
【請求項２１】
（ａ）前記アクセスカバー側に向いた前記タワーの前記端部の前記中央突起は、前記タワーの受入溝により取り囲まれることを特徴とする請求項２０記載のエアクリーナアセンブリ。
【手続補正２】
【補正対象書類名】明細書
【補正対象項目名】発明の名称
【補正方法】変更
【補正の内容】
【発明の名称】エアフィルタカートリッジ及びエアクリーナアセンブリ